【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
複数のフレームの放射線画像を連続的に撮像する放射線撮像装置と、前記放射線撮像装置からの信号に基づいて画像データを生成する処理を行う処理部と、前記画像データに基づいて前記複数のフレームの放射線画像を表示する表示部と、を含む放射線撮像システムにおいて使用される前記放射線撮像装置であって、
放射線を検出する複数のセンサを有し、前記複数のセンサの各々からアナログ信号を出力する撮像部と、
複数のフレームにそれぞれ対応する複数のＡＤ変換期間の各々において前記撮像部からの個々のアナログ信号をデジタル信号に変換し、個々のデジタル信号を複数ビットのシリアルデータ列として出力するＡＤ変換部と、
前記ＡＤ変換部から伝送路を介して伝送されてくる複数ビットのシリアルデータ列をパラレルデータに変換するシリアルパラレル変換部と、
前記処理部が前記放射線撮像装置から前記複数のフレームの放射線画像の信号を正しく受信するように前記シリアルパラレル変換部が複数ビットのシリアルデータ列を識別するためのアライメントを行うアライメント部と、を備え、
前記アライメント部は、前記複数のＡＤ変換期間のうち最初のＡＤ変換期間の前に前記アライメントを行う他、前記複数のＡＤ変換期間のうち少なくも１つのＡＤ変換期間と他のＡＤ変換期間との間の期間において前記アライメントを行う、
ことを特徴とする放射線撮像装置。
【請求項２】
前記複数のセンサからの信号をサンプリングしホールディングする保持部を更に備え、
前記アライメント部は、前記保持部がサンプリングを行っている期間において前記アライメントを行う、
ことを特徴とする請求項１に記載の放射線撮像装置。
【請求項３】
前記複数のセンサをリセットするリセット部を更に備え、
前記アライメント部は、前記リセット部が前記複数のセンサをリセットする期間において前記アライメントを行う、
ことを特徴とする請求項１に記載の放射線撮像装置。
【請求項４】
前記複数のセンサからの信号をサンプリングしホールディングする保持部と、
前記複数のセンサをリセットするリセット部と、を更に備え、
前記アライメント部は、前記保持部がサンプリングを行っている期間および前記リセット部が前記複数のセンサをリセットする期間において前記アライメントを行う、
ことを特徴とする請求項１に記載の放射線撮像装置。
【請求項５】
前記アライメント部は、前記複数のＡＤ変換期間の各々のＡＤ変換期間と次のＡＤ変換期間との間の期間において前記アライメントを行う、
ことを特徴とする請求項１乃至４のいずれか１項に記載の放射線撮像装置。
【請求項６】
前記アライメント部は、前記撮像部から１フレーム分の信号が前記ＡＤ変換部および前記シリアルパラレル変換部を通して読み出される期間において、前記アライメントを少なくとも１回行う、
ことを特徴とする請求項１乃至５のいずれか１項に記載の放射線撮像装置。
【請求項７】
前記アライメント部は、前記撮像部から１フレーム分の信号が前記ＡＤ変換部および前記シリアルパラレル変換部を通して読み出される期間において、前記アライメントを少なくとも２回行う、
ことを特徴とする請求項１乃至５のいずれか１項に記載の放射線撮像装置。
【請求項８】
前記ＡＤ変換部は、前記撮像部からのアナログ信号をデジタル信号に変換するＡＤ変換器と、前記ＡＤ変換器からのデジタル信号をシリアルデータに変換するシリアライザーとを含む、
ことを特徴とする請求項１乃至７のいずれか１項に記載の放射線撮像装置。
【請求項９】
前記処理部は、前記シリアルパラレル変換部からのパラレルデータを処理する、
ことを特徴とする請求項１乃至８のいずれか１項に記載の放射線撮像装置。
【請求項１０】
放射線源と、
請求項１乃至９のいずれか１項に記載の放射線撮像装置と、
前記処理部と、
前記表示部と、
を備えることを特徴とする放射線撮像システム。
【請求項１１】
複数のフレームの放射線画像を連続的に撮像する放射線撮像装置と、前記放射線撮像装置からの信号に基づいて画像データを生成する処理を行う処理部と、前記画像データに基づいて前記複数のフレームの放射線画像を表示する表示部と、を含む放射線撮像システムにおいて使用される前記放射線撮像装置の制御方法であって、
前記放射線撮像装置は、
放射線を検出する複数のセンサを有し、前記複数のセンサの各々からアナログ信号を出力する撮像部と、
複数のフレームにそれぞれ対応する複数のＡＤ変換期間の各々において前記撮像部からの個々のアナログ信号をデジタル信号に変換し、個々のデジタル信号を複数ビットのシリアルデータ列として出力するＡＤ変換部と、
前記ＡＤ変換部から伝送路を介して伝送されてくる複数ビットのシリアルデータ列をパラレルデータに変換するシリアルパラレル変換部と、を備え、
前記制御方法は、前記処理部が前記放射線撮像装置から前記複数のフレームの放射線画像の信号を正しく受信するように前記シリアルパラレル変換部が複数ビットのシリアルデータ列を識別するためのアライメントを行うアライメント工程を含み、
前記アライメント工程では、前記複数のＡＤ変換期間のうち最初のＡＤ変換期間の前に前記アライメントを行う他、前記複数のＡＤ変換期間のうち少なくも１つのＡＤ変換期間と他のＡＤ変換期間との間の期間において前記アライメントを行う、
ことを特徴とする放射線撮像装置の制御方法。
【請求項１２】
複数のフレームの放射線画像を連続的に撮像する放射線撮像装置と、前記放射線撮像装置からの信号に基づいて画像データを生成する処理を行う処理部と、前記画像データに基づいて前記複数のフレームの放射線画像を表示する表示部と、を含む放射線撮像システムにおいて使用される前記放射線撮像装置であって、
放射線を検出する複数のセンサを有し、前記複数のセンサの各々からアナログ信号を出力する撮像部と、
複数のフレームにそれぞれ対応する複数のＡＤ変換期間の各々において前記撮像部からの個々のアナログ信号をクロック信号に従ってデジタル信号に変換するＡＤ変換器、アライメントパターンとしてのデジタル信号を発生するアライメントパターン発生器、および、前記ＡＤ変換器から供給されるデジタル信号と前記アライメントパターン発生器から供給されるアライメントパターンとしてのデジタル信号の一方を選択し個々のデジタル信号を複数ビットのシリアルデータ列として出力し、且つ、前記クロック信号に従って前記シリアルデータ列に同期したシリアルクロックを出力する回路、を含むＡＤ変換部と、
前記ＡＤ変換部から伝送路を介して伝送されてくる複数ビットのシリアルデータ列を、前記シリアルクロックに従ってパラレルデータに変換するシリアルパラレル変換部と、
アライメントのために使用されるアライメントパターンを格納するアライメントパターン格納部と、
前記シリアルパラレル変換部に伝送されてくる複数ビットのシリアルデータ列の中のアライメントパターンと前記アライメントパターン格納部に格納されたアライメントパターンとを比較することにより、前記処理部が前記放射線撮像装置から前記複数のフレームの放射線画像の信号を正しく受信できるように前記シリアルパラレル変換部が複数ビットのシリアルデータ列を識別するためのアライメントを行うアライメント部と、を備え、
前記アライメント部は、前記複数のＡＤ変換期間のうち最初のＡＤ変換期間の前に前記アライメントを行う他、前記複数のＡＤ変換期間のうち少なくも１つのＡＤ変換期間と他のＡＤ変換期間との間の期間において前記アライメントを行う、
ことを特徴とする放射線撮像装置。
【請求項１３】
放射線源と、
請求項１２に記載の放射線撮像装置と、
前記処理部と、
前記表示部と、
を備えることを特徴とする放射線撮像システム。
【請求項１４】
複数のフレームの放射線画像を連続的に撮像する放射線撮像装置と、前記放射線撮像装置からの信号に基づいて画像データを生成する処理を行う処理部と、前記画像データに基づいて前記複数のフレームの放射線画像を表示する表示部と、を含む放射線撮像システムにおいて使用される前記放射線撮像装置の制御方法であって、
前記放射線撮像装置は、
放射線を検出する複数のセンサを有し、前記複数のセンサの各々からアナログ信号を出力する撮像部と、
複数のフレームにそれぞれ対応する複数のＡＤ変換期間の各々において前記撮像部からの個々のアナログ信号をクロック信号に従ってデジタル信号に変換するＡＤ変換器、アライメントパターンとしてのデジタル信号を発生するアライメントパターン発生器、および、前記ＡＤ変換器から供給されるデジタル信号と前記アライメントパターン発生器から供給されるアライメントパターンとしてのデジタル信号の一方を選択し個々のデジタル信号を複数ビットのシリアルデータ列として出力し、且つ、前記クロック信号に従って前記シリアルデータ列に同期したシリアルクロックを出力する回路と、を含むＡＤ変換部と、
前記ＡＤ変換部から伝送路を介して伝送されてくる複数ビットのシリアルデータ列を、前記シリアルクロックに従ってパラレルデータに変換するシリアルパラレル変換部と、
アライメントのために使用されるアライメントパターンを格納するアライメントパターン格納部と、を備え、
前記制御方法は、前記シリアルパラレル変換部に伝送されてくる複数ビットのシリアルデータ列の中のアライメントパターンと前記アライメントパターン格納部に格納されたアライメントパターンとを比較することにより、前記処理部が前記放射線撮像装置から前記複数のフレームの放射線画像の信号を正しく受信できるように前記シリアルパラレル変換部が複数ビットのシリアルデータ列を識別するためのアライメントを行うアライメント工程を含み、
前記アライメント工程では、前記複数のＡＤ変換期間のうち最初のＡＤ変換期間の前に前記アライメントを行う他、前記複数のＡＤ変換期間のうち少なくも１つのＡＤ変換期間と他のＡＤ変換期間との間の期間において前記アライメントを行う、
ことを特徴とする放射線撮像装置の制御方法。
【手続補正２】
【補正対象書類名】明細書
【補正対象項目名】０００７
【補正方法】変更
【補正の内容】
【０００７】
本発明の１つの側面は、複数のフレームの放射線画像を連続的に撮像する放射線撮像装置と、前記放射線撮像装置からの信号に基づいて画像データを生成する処理を行う処理部と、前記画像データに基づいて前記複数のフレームの放射線画像を表示する表示部と、を含む放射線撮像システムにおいて使用される前記放射線撮像装置であって、放射線を検出する複数のセンサを有し、前記複数のセンサの各々からアナログ信号を出力する撮像部と、複数のフレームにそれぞれ対応する複数のＡＤ変換期間の各々において前記撮像部からの個々のアナログ信号をデジタル信号に変換し、個々のデジタル信号を複数ビットのシリアルデータ列として出力するＡＤ変換部と、前記ＡＤ変換部から伝送路を介して伝送されてくる複数ビットのシリアルデータ列をパラレルデータに変換するシリアルパラレル変換部と、前記処理部が前記放射線撮像装置から前記複数のフレームの放射線画像の信号を正しく受信するように前記シリアルパラレル変換部が複数ビットのシリアルデータ列を識別するためのアライメントを行うアライメント部と、を備え、前記アライメント部は、前記複数のＡＤ変換期間のうち最初のＡＤ変換期間の前に前記アライメントを行う他、前記複数のＡＤ変換期間のうち少なくも１つのＡＤ変換期間と他のＡＤ変換期間との間の期間において前記アライメントを行う。